(57)【要約】【課題】  自装置が有する複数回線を有効に使用して受信文書のセキュリティ性を向上できるファクシミリ装置などの通信装置を提供すること。【解決手段】  指定された受信回線識別情報及び操作入力された暗証情報を暗証情報設定記憶手段と照合して一致した場合に当該一致した暗証情報に対応する受信回線識別情報に対応して受信文書別受信回線記憶手段に登録されている受信文書データであって、所定の操作により出力指定された受信文書データを受信文書蓄積手段から読み出して所定の出力形態で出力する回線別受信文書出力手段を備えたことを特徴とする。【選択図】    図１
2005136940.tif 000002
【特許請求の範囲】
【請求項１】
複数の回線を有し、それら各回線を介して文書データを受信する通信装置において、
前記複数の回線のそれぞれに対応する受信回線識別情報にそれぞれ対応付けて少なくとも暗証情報を予め設定記憶する暗証情報設定記憶手段と、
前記複数の回線のうちのいずれかの回線を介して受信される文書データを記憶蓄積する受信文書蓄積手段と、
前記受信文書蓄積手段に蓄積された受信文書データのそれぞれについての前記受信回線識別情報を対応付けて登録記憶する受信文書別受信回線記憶手段と、
指定された受信回線識別情報及び操作入力された暗証情報を前記暗証情報設定記憶手段と照合して一致した場合に当該一致した暗証情報に対応する受信回線識別情報に対応して前記受信文書別受信回線記憶手段に登録されている受信文書データであって、所定の操作により出力指定された受信文書データを前記受信文書蓄積手段から読み出して所定の出力形態で出力する回線別受信文書出力手段と
を備えたことを特徴とする通信装置。
【請求項２】
前記受信文書蓄積手段に蓄積された受信文書データのそれぞれについて当該文書データの受信に付帯して取得された送信元識別情報を少なくとも含む付帯情報を対応付けて登録記憶する受信文書別付帯情報記憶手段と、
前記回線別受信文書出力手段における所定の操作による出力指定の際に、前記受信文書別付帯情報記憶手段に記憶された付帯情報のうちの、前記指定された受信回線識別情報及び操作入力された暗証情報を前記暗証情報設定記憶手段と照合して一致した場合に当該一致した暗証情報に対応する受信回線識別情報に対応して前記受信文書別受信回線記憶手段に登録されている受信文書データに対応するもののみをリスト表示するリスト表示手段とを更に備え、
前記回線別受信文書出力手段における所定の操作による出力指定は、前記リスト表示手段により表示されたリストにおける選択により行われることを特徴とする請求項１に記載の通信装置。
【請求項３】
前記受信文書蓄積手段に蓄積された受信文書データのそれぞれについて当該文書データの受信に付帯して取得された送信元識別情報を少なくとも含む付帯情報を対応付けて登録記憶する受信文書別付帯情報記憶手段と、
前記回線別受信文書出力手段における所定の操作による出力指定の際に、前記受信文書別付帯情報記憶手段に記憶された付帯情報をリスト表示すると共に、それらの付帯情報のうちの、前記指定された受信回線識別情報及び操作入力された暗証情報を前記暗証情報設定記憶手段と照合して一致した場合に当該一致した暗証情報に対応する受信回線識別情報に対応して前記受信文書別受信回線記憶手段に登録されている受信文書データに対応するものについては、「出力可」を示す情報を付加して表示するリスト表示手段とを更に備え、
前記回線別受信文書出力手段における所定の操作による出力指定は、前記リスト表示手段により表示されたリストにおける「出力可」のものの選択により行われることを特徴とする請求項１に記載の通信装置。
【請求項４】
前記受信文書蓄積手段に蓄積された受信文書データのそれぞれについて当該文書データの受信に付帯して取得された送信元識別情報を少なくとも含む付帯情報を対応付けて登録記憶する受信文書別付帯情報記憶手段と、
前記回線別受信文書出力手段における所定の操作による出力指定の際に、前記受信文書別付帯情報記憶手段に記憶された付帯情報をリスト表示すると共に、
それらの付帯情報のうちの、前記指定された受信回線識別情報及び操作入力された暗証情報を前記暗証情報設定記憶手段と照合して一致した場合に当該一致した暗証情報に対応する受信回線識別情報に対応して前記受信文書別受信回線記憶手段に登録されている受信文書データに対応するものについては、送信元識別情報を非表示とするリスト表示手段とを更に備え、
前記回線別受信文書出力手段における所定の操作による出力指定は、前記リスト表示手段により表示されたリストにおける送信元識別情報が表示されているものの選択により行われることを特徴とする請求項１に記載の通信装置。
【請求項５】
ダイヤルインサービスに対応すると共に複数のダイヤルイン番号が設定された回線を有し、その回線を介して文書データを受信する通信装置において、
前記複数のダイヤルイン番号のそれぞれにより特定される論理的な受信回線を識別する情報である受信回線識別情報にそれぞれ対応付けて少なくとも暗証情報を予め設定記憶する暗証情報設定記憶手段と、
前記回線を介して受信される文書データを記憶蓄積する受信文書蓄積手段と、
前記受信文書蓄積手段に蓄積された受信文書データのそれぞれについて、各受信文書データの受信に係る着信時に着信番号として通知されてきた前記ダイヤルイン番号に対応する前記受信回線識別情報を対応付けて登録記憶する受信文書別受信回線記憶手段と、
指定された受信回線識別情報及び操作入力された暗証情報を前記暗証情報設定記憶手段と照合して一致した場合に当該一致した暗証情報に対応する受信回線識別情報に対応して前記受信文書別受信回線記憶手段に登録されている受信文書データであって、所定の操作により出力指定された受信文書データを前記受信文書蓄積手段から読み出して所定の出力形態で出力する回線別受信文書出力手段と
を備えたことを特徴とする通信装置。
【請求項６】
前記受信文書蓄積手段に蓄積された受信文書データのそれぞれについて当該文書データの受信に付帯して取得された送信元識別情報を少なくとも含む付帯情報を対応付けて登録記憶する受信文書別付帯情報記憶手段と、
前記回線別受信文書出力手段における所定の操作による出力指定の際に、前記受信文書別付帯情報記憶手段に記憶された付帯情報のうちの、前記指定された受信回線識別情報及び操作入力された暗証情報を前記暗証情報設定記憶手段と照合して一致した場合に当該一致した暗証情報に対応する受信回線識別情報に対応して前記受信文書別受信回線記憶手段に登録されている受信文書データに対応するもののみをリスト表示するリスト表示手段とを更に備え、
前記回線別受信文書出力手段における所定の操作による出力指定は、前記リスト表示手段により表示されたリストにおける選択により行われることを特徴とする請求項５に記載の通信装置。
【請求項７】
前記受信文書蓄積手段に蓄積された受信文書データのそれぞれについて当該文書データの受信に付帯して取得された送信元識別情報を少なくとも含む付帯情報を対応付けて登録記憶する受信文書別付帯情報記憶手段と、
前記回線別受信文書出力手段における所定の操作による出力指定の際に、前記受信文書別付帯情報記憶手段に記憶された付帯情報をリスト表示すると共に、それらの付帯情報のうちの、前記指定された受信回線識別情報及び操作入力された暗証情報を前記暗証情報設定記憶手段と照合して一致した場合に当該一致した暗証情報に対応する受信回線識別情報に対応して前記受信文書別受信回線記憶手段に登録されている受信文書データに対応するものについては、「出力可」を示す情報を付加して表示するリスト表示手段とを更に備え、
前記回線別受信文書出力手段における所定の操作による出力指定は、前記リスト表示手段により表示されたリストにおける「出力可」のものの選択により行われることを特徴とする請求項５に記載の通信装置。
【請求項８】
前記受信文書蓄積手段に蓄積された受信文書データのそれぞれについて当該文書データの受信に付帯して取得された送信元識別情報を少なくとも含む付帯情報を対応付けて登録記憶する受信文書別付帯情報記憶手段と、
前記回線別受信文書出力手段における所定の操作による出力指定の際に、前記受信文書別付帯情報記憶手段に記憶された付帯情報をリスト表示すると共に、
それらの付帯情報のうちの、前記指定された受信回線識別情報及び操作入力された暗証情報を前記暗証情報設定記憶手段と照合して一致した場合に当該一致した暗証情報に対応する受信回線識別情報に対応して前記受信文書別受信回線記憶手段に登録されている受信文書データに対応するものについては、送信元識別情報を非表示とするリスト表示手段とを更に備え、
前記回線別受信文書出力手段における所定の操作による出力指定は、前記リスト表示手段により表示されたリストにおける送信元識別情報が表示されているものの選択により行われることを特徴とする請求項５に記載の通信装置。
【発明の詳細な説明】
【技術分野】
【０００１】
本発明は、ファクシミリ装置等の通信装置に関し、特に、複数の回線を有し、それら各回線を介して文書データを受信する通信装置、及び、ダイヤルインサービスに対応すると共に複数のダイヤルイン番号が設定された回線を有し、その回線を介して文書データを受信する通信装置に関する。
【背景技術】
【０００２】
ファクシミリ装置などの通信装置においては、受信した文書データを、ディスプレイに表示したり、記録紙に印刷出力したり、ネットワークを介してパーソナルコンピュータなどの他装置に転送出力したり、カードスロットに挿入されたメモリカードに転送出力したりするなど、所定の出力形態により出力する。
【０００３】
一方、ファクシミリ装置などの通信装置には、複数の回線を有し、それら複数の回線のいずれの回線からでも文書データを受信できるものがある。具体的には、例えば、第１回線と第２回線との２つの回線を複数の回線として有し、その第１回線の加入者番号宛に発呼した送信元装置からの送信文書データはその第１回線（に接続された受信機能）により受信される。第２回線についても同様で、３回線以上を有する場合も同様である。
【０００４】
しかし、そのような、複数回線を有するファクシミリ装置などの通信装置においては、複数の回線は、１つの回線で送信中または受信中のときに、別の送信や受信を可能とする目的で用いられるのが一般的である。
【０００５】
通信装置における複数回線の所有形態としては、上記したような、物理的な複数の加入者回線を装置に接続する形態の他、自装置に物理的に接続される回線に論理的な複数回線を割り当てる形態もとり得る。
【０００６】
それは、ダイヤルインサービスに対応した（物理的な）回線、つまり、ダイヤルインサービスを受ける契約を公衆網を運営する事業者との間で行って公衆網側の加入者交換機の設定によりダイヤルイン機能が付与された（物理的な）回線について、複数のダイヤルイン番号を割り当てることで、着信時に公衆網側の加入者交換機から通知される着信番号（ダイヤルイン番号）により、論理的な受信回線を区別するものである。
【発明の開示】
【発明が解決しようとする課題】
【０００７】
一方で、ファクシミリ装置などの通信装置においては、例えば、あるビルのあるフロアに入居する、独立性の高い複数部署や、複数の会社により共用される場合がある。そのような場合、受信文書を他部署や他社に属する他人に見られたくないという事情があるが、従来のファクシミリ装置などの通信装置においては、その事情に十分対応できていないという問題点があった。
【０００８】
本発明は係る事情に鑑みてなされたものであり、自装置が有する、物理的な複数回線、または、ダイヤルインサービスに対応した物理的が回線が有する複数の論理的な回線を有効に使用して受信文書のセキュリティ性を向上できるファクシミリ装置などの通信装置を提供することを目的とする。
【課題を解決するための手段】
【０００９】
請求項１に記載の通信装置は、複数の回線を有し、それら各回線を介して文書データを受信する通信装置において、前記複数の回線のそれぞれに対応する受信回線識別情報にそれぞれ対応付けて少なくとも暗証情報を予め設定記憶する暗証情報設定記憶手段と、前記複数の回線のうちのいずれかの回線を介して受信される文書データを記憶蓄積する受信文書蓄積手段と、前記受信文書蓄積手段に蓄積された受信文書データのそれぞれについての前記受信回線識別情報を対応付けて登録記憶する受信文書別受信回線記憶手段と、指定された受信回線識別情報及び操作入力された暗証情報を前記暗証情報設定記憶手段と照合して一致した場合に当該一致した暗証情報に対応する受信回線識別情報に対応して前記受信文書別受信回線記憶手段に登録されている受信文書データであって、所定の操作により出力指定された受信文書データを前記受信文書蓄積手段から読み出して所定の出力形態で出力する回線別受信文書出力手段とを備えたことを特徴とする。
【００１０】
請求項２に記載の通信装置は、請求項１に記載の通信装置において、前記受信文書蓄積手段に蓄積された受信文書データのそれぞれについて当該文書データの受信に付帯して取得された送信元識別情報を少なくとも含む付帯情報を対応付けて登録記憶する受信文書別付帯情報記憶手段と、前記回線別受信文書出力手段における所定の操作による出力指定の際に、前記受信文書別付帯情報記憶手段に記憶された付帯情報のうちの、前記指定された受信回線識別情報及び操作入力された暗証情報を前記暗証情報設定記憶手段と照合して一致した場合に当該一致した暗証情報に対応する受信回線識別情報に対応して前記受信文書別受信回線記憶手段に登録されている受信文書データに対応するもののみをリスト表示するリスト表示手段とを更に備え、前記回線別受信文書出力手段における所定の操作による出力指定は、前記リスト表示手段により表示されたリストにおける選択により行われることを特徴とする。
【００１１】
請求項３に記載の通信装置は、請求項１に記載の通信装置において、前記受信文書蓄積手段に蓄積された受信文書データのそれぞれについて当該文書データの受信に付帯して取得された送信元識別情報を少なくとも含む付帯情報を対応付けて登録記憶する受信文書別付帯情報記憶手段と、前記回線別受信文書出力手段における所定の操作による出力指定の際に、前記受信文書別付帯情報記憶手段に記憶された付帯情報をリスト表示すると共に、それらの付帯情報のうちの、前記指定された受信回線識別情報及び操作入力された暗証情報を前記暗証情報設定記憶手段と照合して一致した場合に当該一致した暗証情報に対応する受信回線識別情報に対応して前記受信文書別受信回線記憶手段に登録されている受信文書データに対応するものについては、「出力可」を示す情報を付加して表示するリスト表示手段とを更に備え、前記回線別受信文書出力手段における所定の操作による出力指定は、前記リスト表示手段により表示されたリストにおける「出力可」のものの選択により行われることを特徴とする。
【００１２】
請求項４に記載の通信装置は、請求項１に記載の通信装置において、前記受信文書蓄積手段に蓄積された受信文書データのそれぞれについて当該文書データの受信に付帯して取得された送信元識別情報を少なくとも含む付帯情報を対応付けて登録記憶する受信文書別付帯情報記憶手段と、前記回線別受信文書出力手段における所定の操作による出力指定の際に、前記受信文書別付帯情報記憶手段に記憶された付帯情報をリスト表示すると共に、それらの付帯情報のうちの、前記指定された受信回線識別情報及び操作入力された暗証情報を前記暗証情報設定記憶手段と照合して一致した場合に当該一致した暗証情報に対応する受信回線識別情報に対応して前記受信文書別受信回線記憶手段に登録されている受信文書データに対応するものについては、送信元識別情報を非表示とするリスト表示手段とを更に備え、前記回線別受信文書出力手段における所定の操作による出力指定は、前記リスト表示手段により表示されたリストにおける送信元識別情報が表示されているものの選択により行われることを特徴とする。
【００１３】
請求項５に記載の通信装置は、ダイヤルインサービスに対応すると共に複数のダイヤルイン番号が設定された回線を有し、その回線を介して文書データを受信する通信装置において、前記複数のダイヤルイン番号のそれぞれにより特定される論理的な受信回線を識別する情報である受信回線識別情報にそれぞれ対応付けて少なくとも暗証情報を予め設定記憶する暗証情報設定記憶手段と、前記回線を介して受信される文書データを記憶蓄積する受信文書蓄積手段と、前記受信文書蓄積手段に蓄積された受信文書データのそれぞれについて、各受信文書データの受信に係る着信時に着信番号として通知されてきた前記ダイヤルイン番号に対応する前記受信回線識別情報を対応付けて登録記憶する受信文書別受信回線記憶手段と、指定された受信回線識別情報及び操作入力された暗証情報を前記暗証情報設定記憶手段と照合して一致した場合に当該一致した暗証情報に対応する受信回線識別情報に対応して前記受信文書別受信回線記憶手段に登録されている受信文書データであって、所定の操作により出力指定された受信文書データを前記受信文書蓄積手段から読み出して所定の出力形態で出力する回線別受信文書出力手段とを備えたことを特徴とする。
【００１４】
請求項６に記載の通信装置は、請求項５に記載の通信装置において、前記受信文書蓄積手段に蓄積された受信文書データのそれぞれについて当該文書データの受信に付帯して取得された送信元識別情報を少なくとも含む付帯情報を対応付けて登録記憶する受信文書別付帯情報記憶手段と、前記回線別受信文書出力手段における所定の操作による出力指定の際に、前記受信文書別付帯情報記憶手段に記憶された付帯情報のうちの、前記指定された受信回線識別情報及び操作入力された暗証情報を前記暗証情報設定記憶手段と照合して一致した場合に当該一致した暗証情報に対応する受信回線識別情報に対応して前記受信文書別受信回線記憶手段に登録されている受信文書データに対応するもののみをリスト表示するリスト表示手段とを更に備え、前記回線別受信文書出力手段における所定の操作による出力指定は、前記リスト表示手段により表示されたリストにおける選択により行われることを特徴とする。
【００１５】
請求項７に記載の通信装置は、請求項５に記載の通信装置において、前記受信文書蓄積手段に蓄積された受信文書データのそれぞれについて当該文書データの受信に付帯して取得された送信元識別情報を少なくとも含む付帯情報を対応付けて登録記憶する受信文書別付帯情報記憶手段と、前記回線別受信文書出力手段における所定の操作による出力指定の際に、前記受信文書別付帯情報記憶手段に記憶された付帯情報をリスト表示すると共に、それらの付帯情報のうちの、前記指定された受信回線識別情報及び操作入力された暗証情報を前記暗証情報設定記憶手段と照合して一致した場合に当該一致した暗証情報に対応する受信回線識別情報に対応して前記受信文書別受信回線記憶手段に登録されている受信文書データに対応するものについては、「出力可」を示す情報を付加して表示するリスト表示手段とを更に備え、前記回線別受信文書出力手段における所定の操作による出力指定は、前記リスト表示手段により表示されたリストにおける「出力可」のものの選択により行われることを特徴とする。
【００１６】
請求項８に記載の通信装置は、請求項５に記載の通信装置において、前記受信文書蓄積手段に蓄積された受信文書データのそれぞれについて当該文書データの受信に付帯して取得された送信元識別情報を少なくとも含む付帯情報を対応付けて登録記憶する受信文書別付帯情報記憶手段と、前記回線別受信文書出力手段における所定の操作による出力指定の際に、前記受信文書別付帯情報記憶手段に記憶された付帯情報をリスト表示すると共に、それらの付帯情報のうちの、前記指定された受信回線識別情報及び操作入力された暗証情報を前記暗証情報設定記憶手段と照合して一致した場合に当該一致した暗証情報に対応する受信回線識別情報に対応して前記受信文書別受信回線記憶手段に登録されている受信文書データに対応するものについては、送信元識別情報を非表示とするリスト表示手段とを更に備え、前記回線別受信文書出力手段における所定の操作による出力指定は、前記リスト表示手段により表示されたリストにおける送信元識別情報が表示されているものの選択により行われることを特徴とする。
【発明の効果】
【００１７】
請求項１に係る発明によれば、各受信文書データのうちの暗証情報の操作入力により認証された回線を介して受信したもの以外については、出力が許されず、認証された回線を介して受信したものについてのみしか出力が許されないため、セキュリティ性を高めることが可能となる効果が得られる。
【００１８】
請求項２に係る発明によれば、前記リスト表示において、各受信文書データのうちの暗証情報の操作入力により認証された回線を介して受信したもの以外については、リスト表示されず、認証された回線を介して受信したものについてのみしかリスト表示されない。そして、リスト表示された受信文書データしか出力が許可されないため、受信文書に関連する付加的な情報の漏洩を防止できセキュリティ性をいっそう高めることが可能となる効果が得られる。
【００１９】
請求項３に係る発明によれば、前記リスト表示において、各受信文書データのうちの暗証情報の操作入力により認証された回線を介して受信したもの以外については、「出力可」を示す情報は付加されず、認証された回線を介して受信したものについてのみしか「出力可」を示す情報は付加されない。また、リスト表示において「出力可」を示す情報が付加された受信文書データしか出力が許可されないため、セキュリティ性を高めることが可能となるばかりでなく、出力可の受信文書を一目瞭然に特定でき操作性がよくなるという効果が得られる。
【００２０】
請求項４に係る発明によれば、前記リスト表示において、各受信文書データのうちの暗証情報の操作入力により認証された回線を介して受信したもの以外については、送信元識別情報が非表示とされ、認証された回線を介して受信したものについてのみしか送信元識別情報が表示されない。また、リスト表示において送信元識別情報が表示された受信文書データしか出力が許可されないため、受信文書に関連する付加的な情報の漏洩を防止でき、セキュリティ性をいっそう高めることが可能となる効果が得られる。
【００２１】
請求項５に係る発明によれば、各受信文書データのうちの暗証情報の操作入力により認証された回線（ダイヤルイン番号により特定される論理的な回線）を介して受信したもの以外については、出力が許されず、認証された回線（ダイヤルイン番号により特定される論理的な回線）を介して受信したものについてのみしか出力が許されないため、セキュリティ性を高めることが可能となる効果が得られる。
【００２２】
請求項６に係る発明によれば、前記リスト表示において、各受信文書データのうちの暗証情報の操作入力により認証された回線（ダイヤルイン番号により特定される論理的な回線）を介して受信したもの以外については、リスト表示されず、認証された回線（ダイヤルイン番号により特定される論理的な回線）を介して受信したものについてのみしかリスト表示されない。そして、リスト表示された受信文書データしか出力が許可されないため、受信文書に関連する付加的な情報の漏洩を防止できセキュリティ性をいっそう高めることが可能となる効果が得られる。
【００２３】
請求項７に係る発明によれば、前記リスト表示において、各受信文書データのうちの暗証情報の操作入力により認証された回線（ダイヤルイン番号により特定される論理的な回線）を介して受信したもの以外については、「出力可」を示す情報は付加されず、認証された回線（ダイヤルイン番号により特定される論理的な回線）を介して受信したものについてのみしか「出力可」を示す情報は付加されない。また、リスト表示において「出力可」を示す情報が付加された受信文書データしか出力が許可されないため、セキュリティ性を高めることが可能となるばかりでなく、出力可の受信文書を一目瞭然に特定でき操作性がよくなるという効果が得られる。
【００２４】
請求項８に係る発明によれば、前記リスト表示において、各受信文書データのうちの暗証情報の操作入力により認証された回線（ダイヤルイン番号により特定される論理的な回線）を介して受信したもの以外については、送信元識別情報が非表示とされ、認証された回線（ダイヤルイン番号により特定される論理的な回線）を介して受信したものについてのみしか送信元識別情報が表示されない。また、リスト表示において送信元識別情報が表示された受信文書データしか出力が許可されないため、受信文書に関連する付加的な情報の漏洩を防止でき、セキュリティ性をいっそう高めることが可能となる効果が得られる。
【発明を実施するための最良の形態】
【００２５】
以下、添付図面を参照しながら、本発明を実施するための最良の形態について説明する
【００２６】
図１に、本発明を実施するための最良の形態に係る通信装置としてのファクシミリ装置１のブロック構成について示す図である。
【００２７】
同図において、ＣＰＵ２は、ＲＡＭ４を作業領域として使用しつつ、ＲＯＭ３に書き込まれた制御プログラムに基づいて装置各部を制御したり、各種データ処理したりする中央演算処理装置である。
【００２８】
ＲＯＭ３は、前述したように、ＣＰＵ２が装置各部を制御するための制御プログラムや固定的なデータが記憶されているリードオンリメモリである。ＲＡＭ４は、前述したようにＣＰＵ２の作業領域として使用されるランダムアクセスメモリであり、受信文書蓄積手段として、受信文書データの記憶蓄積ためにも用いられる。
【００２９】
ＥＥＰＲＯＭ５は、装置動作に必要な各種情報が記憶されると共に、装置の電源がオフされた状態でもその記憶内容を保持する電気的に書き換え可能な読み出し専用メモリである。
【００３０】
画像読取部６は、セットされた原稿を読み取って文書画像データを得るためのものである。画像記録部７は文書画像データを記録紙などの画像記録媒体に印刷出力するためのものである。
【００３１】
操作表示部８は、ユーザからの操作入力を受け入れるための各種キーが配設される一方、液晶表示装置等の表示器を備え、ユーザに知らせるべき装置の動作状態や、各種メッセージを表示するものである。
【００３２】
ファクシミリ通信制御部９ａは、ＣＰＵ２から渡された送信データのＨＤＬＣフレーム化及びＨＤＬＣフレームからの受信データの取り出しを行うシリアルインターフェース機能と、ＨＤＬＣフレーム化された、被呼端末識別信号ＣＳＩ、ディジタル識別信号ＤＩＳなどのＧ３ファクシミリ制御信号や、文書画像データを、モデム信号に変調・復調して、データの送受信を行うファクシミリモデム機能を備えている。具体的には、ＩＴＵ−Ｔ勧告Ｔ．３０に基づくＧ３ファクシミリ制御信号をやりとりするための低速モデム機能能（Ｖ．２１モデム）、及び、主に画像データをやりとりするための高速モデム機能である、Ｖ．１７、Ｖ．３３、Ｖ．３４、Ｖ．２９、Ｖ．２７ｔｅｒの各モデム機能を備えている。また、ファクシミリ通信制御部１０は、宛先電話番号に対応したＤＴＭＦ信号の生成・送出も行う。
【００３３】
網制御部１０ａは、公衆網１００との電気的インターフェースであり、公衆網１００の加入者回線のうちの１つ（回線１）に接続され、直流ループの閉結・解放や、回線の極性反転の検出、回線解放の検出、発信音の検出、ビジートーン等のトーン信号の検出、呼出信号の検出等の回線との接続制御や、ダイヤルパルスの生成を行うものであり、また、自動発着信機能も備えている。
【００３４】
ファクシミリ通信制御部９ａ及び網制御部１０ａは、回線１を介した文書画像データの送受信のインターフェースとなるものである。
【００３５】
ファクシミリ通信制御部９ｂ及び網制御部１０ｂは、それぞれ、ファクシミリ通信制御部９ａ及び網制御部１０ａと同一構成で、回線２を介した文書画像データの送受信のインターフェースとなるものである。
【００３６】
ファクシミリ装置１における複数回線の収容形態としては、各回線に対応して、ファクシミリ通信制御部９ａ及び網制御部１０ａと同等のインターフェースを具備する本発明を実施するための最良の形態の構成の他に、ファクシミリ通信制御部９ａ及び網制御部１０ａのセットは１セットのみで、網制御部１０ａに複数回線を接続すると共に、その複数回線を切り換える切替回路を設ける構成も考えられる。要するに、複数回線のファクシミリ装置１への収容形態により本発明は限定されるものではない。回線数も、回線１及び２の２回線を有する場合に限らず、３回線もしくはそれ以上の回線を有する場合にも本発明は同様に適用できる。
【００３７】
時計回路１１は、現在の日付及び時刻（日時）を計時するためのものであり、ＣＰＵ２は、時計回路１１を読み出すことで、現在の日時情報を取得できる。
【００３８】
システムバス１２は、上記各部がデータをやり取りするためのデータバス・アドレスバス・制御バス、割り込み信号ラインなどにより構成される信号ラインである。
【００３９】
図２にファクシミリ装置１の操作表示部８の配置構成について示す。
【００４０】
同図において、テンキー８ａは、数字や「＃」「＊」の各記号を入力するためのものである。［Ｙｅｓ］キー８ｂは、表示器８ｉに表示された内容に対して肯定的な操作入力を行ためのものである。［Ｎｏ］キー８ｃは、表示器８ｉに表示された内容に対して否定的な操作入力を行うためのものである。
【００４１】
［ストップ］キー８ｄは、装置動作の強制的な中断を指示したりするためのものである。［スタート］キー８ｅは、各種装置動作の開始を指示するためのものである。［ファンクション］キー８ｆは、その押下操作と、テンキー８ａによる番号入力操作との組み合わせにより、各種設定・登録機能を呼び出したりするためのものである。
【００４２】
矢印キー群８ｇは、［↑］キー８ｇｕ、［↓］キー８ｇｄ、［→］キー８ｇｒ、及び、［←］キー８ｇｌにより構成され、表示器８ｉに表示され選択項目のうちの特定の項目を選択したり、表示器８ｉの表示を上下左右にスクロールさせたりするためのものである。［短縮］キー８ｊは、２桁の番号指定で対応して記憶された宛先を指定できる短縮宛先指定のためのものである。キーボード部８ｈは、アルファベットの宛先名称文字列や「仮名」キーとの組合せ操作によりカタカナの宛先名称文字列等の入力を行うためのものであり、また、漢字変換にも対応している。
【００４３】
［受信回線１］キー８ｍは、回線１を介して受信した文書データを取り出したいときに押下すべきキーである。［受信回線２］キー８ｎは、回線２を介して受信した文書データを取り出したいときに押下すべきキーである。
【００４４】
図３にファクシミリ装置１のＥＥＰＲＯＭ５の本発明に特徴的な記憶内容について示す。
【００４５】
同図において、ＥＥＰＲＯＭ５には、回線別所有者情報設定テーブル５ａ及び受信文書管理テーブルが記憶される。
【００４６】
テーブル５ａは、暗証情報設定記憶手段に相当するもので、同図に示すように、図１における回線１及び回線２にそれぞれ対応する、受信回線識別情報としての回線識別番号「１」及び「２」にそれぞれ「所有者名文字列」及び「暗証情報（この場合暗証番号）」の各フィールドを対応付けたものとして構成されている。
【００４７】
このテーブル５ａ記憶内容の設定は、後述する図５の回線別所有者情報設定処理手順により行われる。
【００４８】
図４に、受信文書管理テーブル５ｂの具体的な内容について示す。
【００４９】
なお、テーブル５ｂは、図７の受信処理により登録され、図８の受信文書出力処理手順により参照・登録抹消される。
【００５０】
テーブル５ｂは、回線１または回線２を介して受信した各受信文書を一意に特定するための番号である４桁のファイル番号にそれぞれ対応した「受信日時」、「送信元識別情報」、「受信結果」、受信回線識別情報としての「受信回線番号」、及び、「受信文書記憶アレドス」の各フィールドにより構成されたレコードの集合として構成される
【００５１】
「受信日時」は、文書を受信した日付と時刻であり、「送信元識別情報」は、Ｇ３ファクシミリの制御信号の１つである送信端末識別信号ＴＳＩやメーカ独自の制御信号により受信される送信元を識別するための情報である。なお、「送信元識別情報」としては、その他に、公衆網１００において提供される発信番号通知サービスにより通知された送信元のファクシミリ番号であってもよく、「送信元識別情報」の取得形態により本発明は限定されるものではない。
【００５２】
「受信結果」は、文書受信の際に、当該文書がＧ３ファクシミリプロトコルのやりとりが途中で中断することなく、全ページが正しく受信できたか（「ＯＫ」）否か（「ＥＲＲＯＲ」）を示すための情報である。
【００５３】
「受信回線番号」は、文書を回線１または回線２のいずれを介して受信したかを示す情報である。番号「１」が回線１を示し、番号「２」が回線２を示している。
【００５４】
「受信文書記憶アレドス」は、当該受信文書のＲＡＭ４における格納アドレスを示す情報である。
【００５５】
なお、「受信回線番号」のフィールドは、受信文書別受信回線記憶手段に相当し、「受信日時」、「送信元識別情報」、及び、「受信結果」の各フィールドは、受信文書別付帯情報記憶手段に相当する。
【００５６】
以上のように構成ささるファクシミリ装置１は、例えば、あるビルのあるフロアに設置され、そのフロアに入居している複数の部署や会社により共用される。
【００５７】
そして、ファクシミリ装置１に関しては、特別に任命された管理者と、それら各部署や各会社に属し、ファクシミリ装置１により受信された文書データを取り出して利用する多数の一般の利用者とが存在することになる。
【００５８】
管理者は、後述する回線別所有者情報設定処理により、ファクシミリ装置１が有する複数の回線（本発明を実施するための最良の形態では２回線）のそれぞれについて、利用する部署または会社の割り当てを決定する。そして、その各回線（に対応する部署、会社）について、受信文書データ取り出しのための暗証番号（暗証情報）を設定する。
【００５９】
一方、各回線に対応する部署、会社のそれぞれにおいては、サブの管理者が、前記管理者から、自部署または自社に割り当てられた回線における受信文書データ取り出しのための暗証番号を教えられ、それら各部署、会社のサブの管理者は、自部署、自社において、ファクシミリ装置１を利用したい者に対して暗証番号を教えると共に、消して他言しないように教示する。各利用者はファクシミリ装置１において後述する図８の受信文書出力処理により受信文書を取り出す際には、その暗証番号を使用する。
【００６０】
後述する回線別所有者情報設定処理により、暗証番号はいつでも変更可能なため、定期的に、または、暗証番号が外部に漏洩したような場合には変更することでセキュリティ性の維持が可能である。
【００６１】
図５にファクシミリ装置１における回線別所有者情報設定処理手順について示す。
【００６２】
同図において、まず、［ファンクション］キー８ｆの押下と「番号９９９」のテンキー８ａにより入力操作との組み合わせ操作があるか、つまり、回線別所有者情報設定のモードを起動するための、ファクシミリ装置１の管理者など限られた者しか知らない操作がなされるかを監視し（判断Ｓ１０１のＮｏのループ）、その操作がなされると（判断Ｓ１０１のＹｅｓ）、更に番号入力処理（処理Ｓ１０２）、つまり、テンキー８ａによりに入力された番号列を順次ＲＡＭ３の所定の記憶領域に記憶する処理を、［Ｙｅｓ］キー８ｂが押下されるまで行う（処理Ｓ１０３のＮｏのループ）。
【００６３】
［Ｙｅｓ］キー５ｂが押下されると（判断Ｓ１０３のＹｅｓ）、その番号が「９８７６５」であるか否かを判断する（判断Ｓ１０４）。その番号「９８７６５」は、サービスマンなどから前記管理者のみが教えられた、回線別所有者情報の設定に関する暗証情報（この場合暗証番号）に相当するものであり、この番号の入力のチェックにより、回線別所有者情報の設定が一般の使用者によりむやみに行われないようにしている。
【００６４】
判断Ｓ１０４において、入力され番号が「９８７６５」でない場合には（判断Ｓ１０４のＮｏ）、処理Ｓ１０５以降の設定処理には進まずに処理を終了する。
【００６５】
判断Ｓ１０４において、入力され番号が「９８７６５」である場合には（判断Ｓ１０４のＹｅｓ）、選択表示制御処理を行う（処理Ｓ１０５）。その処理は、表示器８ｉに、図６に示す表示Ｄ０１を表示して、［←］キー８gｌまたは８ｇｒキーの押下に応じて文字列「回線１」または「回線２」のいずれかにカーソル（アンダーライン）を移動させるともに、その回線（番号）の選択状態をＲＡＭ４の所定の記憶領域に記憶する処理である。
【００６６】
処理Ｓ１０５は、［Ｙｅｓ］キー８ｂが押下されるまで行われ（判断Ｓ１０６のＮｏのループ）、［Ｙｅｓ］キー８ｂが押下されると（判断Ｓ１０６のＹｅｓ）、その時点で回線（番号）の選択が確定する。
【００６７】
判断Ｓ１０６がＹｅｓとなると、更に、入力表示制御処理を行う（処理Ｓ１０７）。その処理は、表示器８ｉに、図６に示す表示Ｄ０２を表示して、テンキー８ａやキーボート部８ｈを介して入力される、選択された回線（番号）についての所有者名の文字列をＲＡＭ４の所定の記憶領域に記憶する処理である。
【００６８】
処理Ｓ１０７は、［Ｙｅｓ］キー８ｂが押下されるまで行われ（判断Ｓ１０８のＮｏのループ）、［Ｙｅｓ］キー８ｂが押下されると（判断Ｓ１０８のＹｅｓ）、その時点で所有者名の文字列の入力が確定する。
【００６９】
判断Ｓ１０８がＹｅｓとなると、更に、入力表示制御処理を行う（処理Ｓ１０９）。その処理は、表示器８ｉに、図６に示す表示Ｄ０３を表示して、テンキー８ａを介して入力される、選択された回線（番号）についての、暗証情報としての暗証番号の数字列をＲＡＭ４の所定の記憶領域に記憶する処理である。なお、暗証情報は、数字列の暗証番号に限らず、アルファベットや各種記号を含んだものであってもよい。
【００７０】
処理Ｓ１０９は、［Ｙｅｓ］キー８ｂが押下されるまで行われ（判断Ｓ１１０のＮｏのループ）、［Ｙｅｓ］キー８ｂが押下されると（判断Ｓ１１０のＹｅｓ）、その時点で暗証番号の数字列の入力が確定する。
【００７１】
判断Ｓ１１０がＹｅｓとなると、処理Ｓ１０５により入力・記憶された「回線番号」、処理Ｓ１０７により入力された「所有者名文字列」、及び、処理Ｓ１０９により入力された「暗証番号」を、それぞれ、「回線識別番号」、「所有者名文字列」及び「暗証情報」として更新記憶する（処理Ｓ１１１）。
【００７２】
図５に示した処理手順を、回線１及び回線２のそれぞれについて行うことで、各回線について「所有者名文字列」及び「暗証情報」が設定されることになる。
【００７３】
そのようにして予め回線別所有者情報設定テーブル５ａの設定が行われた上で、ファクシミリ装置１においては、回線１または回線２を介した文書データの受信が行われる。
【００７４】
図７に、ファクシミリ装置１における受信処理手順について示す。
【００７５】
同図において、先ず、回線１または回線２を介した着呼を監視し（判断Ｓ２０１のＮｏのループ）、着呼があると（判断Ｓ２０１のＹｅｓ）、具体的には、網制御部１０ａ（回線番号「１」）または網制御部１０ｂ（回線番号「２」）により着呼が検出されると、着呼した回線番号を確認する（処理Ｓ２０２）。
【００７６】
そして、着呼に応答してＧ３ファクシミリプロトコルに基づいたファクシミリ制御信号のやりとりにより文書データを受信する処理であるファクシミリ通信処理（処理Ｓ２０３）、及び、その処理Ｓ２０３により順時受信される文書データをＲＡＭ４に蓄積する受信文書蓄積処理（処理Ｓ２０４）を、ファクシミリ通信が終了するまで行う（判断Ｓ２０５のＮｏのループ）。なお、処理Ｓ２０３のファクシミリ通信処理においては、伝送前手順における送信端末識別信号ＴＳＩの受信により、送信元識別情報が取得される。
【００７７】
判断Ｓ２０５がＹｅｓとなると、受信管理テーブル５ｂに登録する（処理Ｓ２０６）。つまり、図４のテーブル５ｂにおいて、新たな「ファイル番号」を生成して、その「ファイル番号」に対応する「受信日時」として、判断Ｓ２０５がＹｅｓとなった時点の日付と時刻とを登録し、「送信元識別情報」として、処理Ｓ２０３で取得した送信元識別情報を登録し、「受信結果」として、処理Ｓ２０３の受信結果を登録し、「受信回線番号」として、処理Ｓ２０２の確認結果を登録し、「受信文書記憶アドレス」として、処理Ｓ２０４におけるＲＡＭ４の記憶アドレスを登録する。
【００７８】
以上の受信処理により、回線１または２を介して文書データが受信されるが、受信文書データは、画像記録部７により印刷出力されたりすることなく、ＲＡＭ４に記憶蓄積されたままであり、その取り出しは、図８の受信文書出力処理手順により行われる。なお、図８の受信文書出力処理手順は、回線別受信文書出力手段に相当する。
【００７９】
図８において、図２の［受信回線１］キー８ｍまたは［受信回線２］キー８ｎのいずれかの［受信回線］キーが押下されるのを待ち（判断Ｓ３０１のＮｏのループ）、押下されると（判断Ｓ３０１のＹｅｓ）、押下された［受信回線］キーに対応する受信回線番号を確認する（処理Ｓ３０２）。つまり、［受信回線１］キー８ｍが押下されれば、指定された受信回線番号は「１」であり、［受信回線２］キー８ｎが押下されれば、指定された受信回線番号は「２」である。
【００８０】
そして、回線別所有者情報設定テーブル５ａを参照し（処理Ｓ３０３）、確認した受信回線番号（「回線識別番号」）に対応する「所有者名文字列」を取得した上で、表示器８ｉに、図９の表示Ｄ１０を表示出力する。
【００８１】
表示Ｄ１０においては、「回線１」が、受信文書データを取り出したい受信回線として選択され、その「回線１」の別名として「所有者名文字列」が表示されている。「所有者名文字列」は、この場合「ＡＡＡシステム社」であり、これにより、操作者は自分が選択した、受信文書データを取り出したい回線が、自部署、自社の割り当てられたものであるのかを容易かつ確実に把握できる。
【００８２】
また、表示Ｄ１０には、暗証番号を入力してくださいとのメッセージ文字列が表示されると共に、暗証番号の入力が完了したら［Ｙｅｓ］キー８ｂを押下すべきことを促す表示がなされる。
【００８３】
そして、暗証番号入力表示処理（処理Ｓ３０５）、つまり、入力された暗証番号をＲＡＭ４の所定の記憶領域に記憶するともに、表示Ｄ１０において入力された分だけ記号「＊」を表示する処理を、［Ｙｅｓ］キー８ｂが押下されるまで行う（判断Ｓ３０６のＮｏのループ）。
【００８４】
そして、［Ｙｅｓ］キー８ｂが押下されると（判断Ｓ３０６のＹｅｓ）、操作入力された暗証番号を、指定された受信回線番号（「回線識別番号」）に対応して予め図３のテーブル５ａに設定記憶されている「暗証情報」と照合する（判断Ｓ３０７）。
【００８５】
その照合の結果一致しない場合には（判断Ｓ３０８のＮｏ）、図９の表示Ｄ１１を表示器８ｉに表示した入力した暗証番号が不正であることを操作者に示した上で、確認入力を示す［Ｙｅｓ］キー８ｂの押下を待ち（判断Ｓ３１０のＮｏのループ）、［Ｙｅｓ］キー８ｂが押下されると（判断Ｓ３１０のＹｅｓ）、処理を終了する。これにより、正しい暗証情報を入力できない不正な操作者は、ファクシミリ装置に蓄積されている受信文書データの取りだしを行うことができない。
【００８６】
判断Ｓ３０８において、一致した場合には（判断Ｓ３０８のＹｅｓ）、表示器８ｉに、図１０の表示Ｄ２０ａ、Ｄ２０ｂ、または、Ｄ２０ｃを表示した上で（処理Ｓ３１１）、それら各表示に対応した出力文書指定処理を（処理Ｓ３１２）、［Ｙｅｓ］キー８ｂが押下されるまで行い（判断Ｓ３１３のＮｏのループ）、［Ｙｅｓ］キー８ｉが押下されると（判断Ｓ３１３のＹｅｓ）、指定さたれ文書データをＲＡＭ４から読み出して画像記録部７により印刷出力し（処理Ｓ３１４）、出力完了した文書をＲＡＭ４から消去すると共にその消去した文書に関するテーブル５ｂの登録を削除して（処理Ｓ３１５）、処理を終了する。
【００８７】
これにより、暗証番号により認証された操作者に関しては、出力指定された受信文書の取り出しが許される。
【００８８】
処理Ｓ３１２における出力指定の形態としては、処理Ｓ３１１において、図１０の、表示Ｄ２０ａが表示される場合と、表示Ｄ２０ｂが表示される場合と、表示Ｄ２０ｃが表示される場合とで異なる。
【００８９】
表示Ｄ２０ａが表示される場合は、図４の受信文書管理テーブル５ｂの登録内容のうちの、判断Ｓ３０１で指定された受信回線番号に対応するもののみが選択されてリスト表示され、そのリストにおいては、テーブル５ｂにおける「受信日時」、「送信元識別情報」、及び、「受信結果」が、それぞれ、「受信日時」、「相手先」、及び、「受信結果」により構成されるレコードとしてリスト表示される。
【００９０】
操作者による［↑］キー８gｕまたは［↓］キー８ｇｄの押下に応じて、カーソル（矢印マーク）が各受信文書データ（ファイル番号）に対応するレコード間を上下に移動し、［Ｙｅｓ］キー８ｂが押下された時点におけるカーソル位置の受信文書データが最終的に出力指定されることになる。
【００９１】
その場合、出力指定できるのは、操作者が指定した受信回線番号について正しい暗証番号を入力して認証された受信回線を介して受信された文書データのみであるため、セキュリティ性を高めることができる。
【００９２】
表示Ｄ２０ｂが表示される場合は、図４の受信文書管理テーブル５ｂの登録内容のうちの全てがリスト表示され、そのリストにおいては、テーブル５ｂにおける「受信日時」、「送信元識別情報」、及び、「受信結果」が、それぞれ、「受信日時」、「相手先」、及び、「受信結果」により構成されるレコードとしてリスト表示される。
【００９３】
更に、テーブル５ｂにおいて「受信回線番号」が、判断Ｓ３０１で指定された受信回線番号と同一のものについては、「印刷可否」として、印刷出力可を示す「可」が表示され、それ以外のものについては、「印刷可否」として、印刷出力不可を示す「不可」が表示される。
【００９４】
それにより、印刷出力が許される受信文書を容易かつ確実に把握することができる。
【００９５】
更に、操作者による［↑］キー８gｕまたは［↓］キー８ｇｄの押下に応じて、カーソル（矢印マーク）が各受信文書データ（ファイル番号）に対応するレコードであって印刷「可」のものの間を上下に移動し、［Ｙｅｓ］キー８ｂが押下された時点におけるカーソル位置の受信文書データが最終的に出力指定されることになる。
【００９６】
その場合、出力指定できるのは、操作者が指定した受信回線番号について正しい暗証番号を入力して認証された受信回線を介して受信された文書データのみであるため、セキュリティ性を高めることができる。
【００９７】
表示Ｄ２０ｃが表示される場合は、図４の受信文書管理テーブル５ｂの登録内容のうちの全てがリスト表示され、そのリストにおいては、テーブル５ｂにおける「受信日時」、「送信元識別情報」、及び、「受信結果」が、それぞれ、「受信日時」、「相手先」、及び、「受信結果」により構成されるレコードとしてリスト表示される。
【００９８】
ただし、テーブル５ｂにおいて「受信回線番号」が、判断Ｓ３０１で指定された受信回線番号と同一のものについては、「送信元識別情報（相手先）」がそのまま表示されるが、それ以外のものについては、記号「＊」の羅列に置換されて表示される。
【００９９】
それにより、印刷出力が許されない受信文書の「相手先」を操作者が見ることがなく、受信文書に関連する付加情報の漏洩を防止できる。
【０１００】
更に、操作者による［↑］キー８gｕまたは［↓］キー８ｇｄの押下に応じて、カーソル（矢印マーク）が各受信文書データ（ファイル番号）に対応するレコードであって「相手先」が記号「＊」の羅列でないものの間を上下に移動し、［Ｙｅｓ］キー８ｂが押下された時点におけるカーソル位置の受信文書データが最終的に出力指定されることになる。
【０１０１】
その場合、出力指定できるのは、操作者が指定した受信回線番号について正しい暗証番号を入力して認証された受信回線を介して受信された文書データのみであるため、セキュリティ性を高めることができる。
【０１０２】
テーブル５ｂの登録内容を無制限にリスト出力しても、認証された受信回線の受信文書データ以外を出力禁止すれば、受信文書データの内容に関してのセキュリティ性は確保できるが、図１０の表示Ｄ２０ａ、ｃに示したように、表示を制限することで、受信文書データの付加情報についてのセキュリティ性の確保もできる。
【０１０３】
図１のファクシミリ装置１のブロック構成の変形例を図１１に示す。
【０１０４】
図１１において、図１に示すものと異なる点は、ファクシミリ通信制御部９ｂ及び網制御部１０ｂを備えていない点と、網制御部１０ａに接続される回線が、ダイヤイルインサービスに対応した回線である点と、ファクシミリ通信制御部９ａが、着信時に、網制御部１０ａに接続されるダイヤルインサービスに対応した回線（を収容する加入者交換機）から、モデム信号またはＰＢ信号により着信番号として通知されてくるダイヤルイン番号を検出する機能を備える点である。
【０１０５】
ここで、網制御部１０ａに接続されるダイヤルインサービス対応の回線には、ダイヤルイン契約者回線番号として「０３−９９９９−９９９１」が、追加番号として「０３−９９９９−９９９２」が契約されているものとする。したがって、着信時には、着信番号として、「０３−９９９９−９９９１」または「０３−９９９９−９９９２」が通知されてくることになり、いずれの番号が通知されるかは、発信元のファクシミリ装置において発信元側のユーザがいずれの番号を宛先として指定するかによる。
【０１０６】
図１１のブロック構成のファクシミリ装置１は、既に説明済の図２に示した配置構成の操作表示部８を備える。なお、その場合、図２において、［受信回線１］キー８ｍ及び［受信回線２］キー８ｎは、物理的な回線を意味するのではなく、それぞれ、「０３−９９９９−９９９１」及び「０３−９９９９−９９９２」のダイヤルイン番号によりそれぞれ特定される論理的な回線に対応するものである。
【０１０７】
また、図１のブロック構成のファクシミリ装置１のＥＥＰＲＯＭ５が図３の記憶内容を備えたものであったのに対し、図１１のブロック構成のファクシミリ装置１のＥＥＰＲＯＭ５は、図１２の記憶内容を備える。
【０１０８】
図１２において、回線別所有者情報設定テーブル５ａは、図３と同一の記憶内容である。また、受信文書管理テーブル５ｂも、図３と同一の記憶内容で、具体的には、図４に示す構成となっている。そして、回線番号／ダイヤルイン番号対応設定テーブル５ｃのみが新規の記憶内容となっている。
【０１０９】
テーブル５ｃは、図１１の網制御部１０ａに接続される回線について契約されているダイヤルイン番号「０３−９９９９−９９９１」及び「０３−９９９９−９９９２」のそれぞれに回線識別番号「１」及び「２」をそれぞれ対応付けたテーブルである。テーブル５ｃの回線識別番号は、テーブル５ａの回線識別番号と同一定義であり、テーブル５ｃにより、ダイヤルイン番号に対応する回線識別番号を特定でき、更に、その特定した回線識別番号をテーブル５ａと照合することで、対応する所有者名文字列や暗証情報を特定できる。
【０１１０】
図１１のブロック構成のファクシミリ装置１は、図１２のＥＥＰＲＯＭ５の記憶内容を備え、図２の構成の操作表示部８を備え、図５に示した回線別所有者情報設定処理を行って図１２の回線別所有者情報設定テーブル５ａの内容を設定した上で、図１３の受信処理を行う。
【０１１１】
図１３の受信処理は、図７に示した受信処理の変形例である。
【０１１２】
図１３において、先ず、図１１の網制御部１０ａに接続された回線を介した着呼を監視し（判断Ｓ４０１のＮｏのループ）、着呼があると（判断Ｓ４０１のＹｅｓ）、つまり、網制御部１０ａにより着呼が検出されると、公衆網１００の加入者交換機から、モデム信号またはＰＢ信号により、着信番号として通知されてくるダイヤルイン番号を、
ファクシミリ通信制御部９ａにより検出し、その検出したダイヤルイン番号を、図１２の回線番号／ダイヤルイン番号対応設定テーブル５ｃと照合することにより、回線番号を特定する（処理Ｓ４０２）。
【０１１３】
そして、着呼に応答してＧ３ファクシミリプロトコルに基づいたファクシミリ制御信号のやりとりにより文書データを受信する処理であるファクシミリ通信処理（処理Ｓ４０３）、及び、その処理Ｓ４０３により順時受信される文書データをＲＡＭ４に蓄積する受信文書蓄積処理（処理Ｓ４０４）を、ファクシミリ通信が終了するまで行う（判断Ｓ４０５のＮｏのループ）。なお、処理Ｓ４０３のファクシミリ通信処理においては、伝送前手順における送信端末識別信号ＴＳＩの受信により、送信元識別情報が取得される。
【０１１４】
判断Ｓ４０５がＹｅｓとなると、図１２の受信管理テーブル５ｂに登録する（処理Ｓ４０６）。つまり、図４のテーブル５ｂにおいて、新たな「ファイル番号」を生成して、その「ファイル番号」に対応する「受信日時」として、判断Ｓ４０５がＹｅｓとなった時点の日付と時刻とを登録し、「送信元識別情報」として、処理Ｓ４０３で取得した送信元識別情報を登録し、「受信結果」として、処理Ｓ４０３の受信結果を登録し、「受信回線番号」として、処理Ｓ４０２で特定した結果を登録し、「受信文書記憶アドレス」として、処理Ｓ４０４におけるＲＡＭ４の記憶アドレスを登録する。
【０１１５】
以上の受信処理により、ダイヤルイン番号により特定される論理的な回線１または２を介して文書データが受信されるが、受信文書データは、画像記録部７により印刷出力されたりすることなく、ＲＡＭ４に記憶蓄積されたままであり、その取り出しは、既に詳細に説明済みの図８の受信文書出力処理手順により行われる。
【０１１６】
このように、物理的には１つの回線のみが接続され、その物理的な１回線が２つのダイヤルイン番号にそれぞれ対応する２つの論理的な回線を含む場合にも本発明を適用することで、回線を有効に使用した受信文書のセキュリティ性の向上を図ることが可能となる。
【０１１７】
また、複数の物理回線の全部または一部がダイヤイルインサービス対応のものである場合にも本発明は同様に適用可能なものである。つまり、例えば、物理的な回線として回線１及び回線２が図１のブロック構成のファクシミリ装置１に接続されている場合に、回線２をダイヤルインサービス対応のものとし（そのように公衆網１００の事業者と契約し）、回線２に２つのダイヤルイン番号を割り当てるものとすれば、物理的な回線１と、回線２上の論理的な２つの回線（回線２及び回線３）との合計３つの回線を、ファクシミリ装置１が有するものと見ることができ、それらの回線のそれぞれについて、図２の操作表示部８に［受信回線１］、［受信回線２］及び［受信回線３］の各キーを配設すると共に、図５の回線別所有者情報設定処理、図７または図１３の受信処理、及び、図８の受信文書出力処理と同様の処理手順を適用することで、物理及び論理回線が混在する場合にも本発明を適用して、回線を有効に使用した受信文書のセキュリティ性の向上を図ることが可能となる。その場合、着信頻度の高い受信回線（に対応する所有者）については、物理的な回線１を割り当て、着信頻度の低い受信回線（に対応する所有者）については、論理的な回線２または回線３を割り当てるようにすることで、ファクシミリ装置１が、回線１を介した着信（ファクシミリ受信）と、回線２を介した着信（ファクシミリ受信）とを並列処理可能なものであれば、着信頻度の高い回線１（に対応する所有者）については、頻度の高い着信に適切に応じることができ、着信頻度が高くない回線２または３（に対応する所有者）については、同時着信には対応できないが、物理的な２回線を適用するのに比べてずっと安価に対応できる利点が生じる。
【０１１８】
なお、以上本発明を実施するための最良の形態について説明したが、本発明は上記のものに限定されるものではなく、その要旨を逸脱しない範囲で種々変更可能であることはいうまでもない。
【図面の簡単な説明】
【０１１９】
【図１】本発明を実施するための最良の形態に係る通信装置としてのファクシミリ装置のブロック構成について示す図である。
【図２】本発明を実施するための最良の形態に係るファクシミリ装置の操作表示部の配置構成について示す図である。
【図３】本発明を実施するための最良の形態に係るファクシミリ装置のＥＥＰＲＯＭの記憶内容について示す図である。
【図４】受信文書管理テーブルの具体的な内容について示す図である。
【図５】本発明を実施するための最良の形態に係るファクシミリ装置における回線別所有者情報設定処理手順について示すフローチャートである。
【図６】図５の処理手順における表示例について示す図である。
【図７】本発明を実施するための最良の形態に係るファクシミリ装置における受信処理手順について示すフローチャートである。
【図８】本発明を実施するための最良の形態に係るファクシミリ装置における受信文書出力処理手順について示すフローチャートである。
【図９】図８の処理手順における表示例について示す図である。
【図１０】図８の処理手順における表示例について示す図である。
【図１１】本発明を実施するための最良の形態に係る通信装置としてのファクシミリ装置のブロック構成の別例について示すである。
【図１２】本発明を実施するための最良の形態に係るファクシミリ装置のＥＥＰＲＯＭの記憶内容の別例について示す図である。
【図１３】本発明を実施するための最良の形態に係るファクシミリ装置における受信処理手順の別例について示すフローチャートである。
【符号の説明】
【０１２０】
１  ファクシミリ装置
２  ＣＰＵ
３  ＲＯＭ
４  ＲＡＭ
５  ＥＥＰＲＯＭ
６  画像読取部
７  画像記録部
８  操作表示部
９ａ、９ｂ  ファクシミリ通信制御部
１０ａ、１０ｂ  網制御部
１１  システムバス
【図１】
2005136940.tif 000003
【図２】
2005136940.tif 000004
【図３】
2005136940.tif 000005
【図４】
2005136940.tif 000006
【図５】
2005136940.tif 000007
【図６】
2005136940.tif 000008
【図７】
2005136940.tif 000009
【図８】
2005136940.tif 000010
【図９】
2005136940.tif 000011
【図１０】
2005136940.tif 000012
【図１１】
2005136940.tif 000013
【図１２】
2005136940.tif 000014
【図１３】
2005136940.tif 000015